(57)【要約】【課題】光を拡散する光学シートと、光学シートを透過した光により映像を表示する表示パネルとの間に互いの密着を回避するために必要な最小限の間隙を確保して、薄型化を図ることができる表示装置を提供する。【解決手段】シート支持フレーム３及びシート支持部の正面に、拡散板８ａと略同寸のスペーサ部３１及びスペーサ部をそれぞれ設け、シート支持フレーム３及びシート支持部の正面に、離隔部材４を設けることにより、多層型偏光ミラー膜８ｄと、表示パネル６との間に互いの密着を回避するために必要な最小限の間隙を確保して、光学シート８が膨張したときには、前記光学シート８は周囲の空間へ向けて伸長し、光学シート８に皺を発生させない構成とした。【選択図】図２
2009175444.tif 000002
【特許請求の範囲】
【請求項１】
光源から照射された光を拡散する光学シートを支持するシート支持部と、前記光学シートを透過した光により映像を表示する表示パネルを支持するパネル支持部と、該パネル支持部及びシート支持部の間に設けてあり、前記光学シートを収容する空間を確保するためのスペーサ部とを備える表示装置において、
前記スペーサ部の寸法は、前記光学シートの厚さよりも短くしてあり、
前記パネル支持部に、前記表示パネル及び光学シートを離隔させる離隔部材を設けてあること
を特徴とする表示装置。
【請求項２】
前記離隔部材は弾性を備えることを特徴とする請求項１に記載の表示装置。
【請求項３】
前記パネル支持部に対向するベゼルを備え、
該ベゼル及びパネル支持部の間で前記離隔部材を挟圧してあること
を特徴とする請求項２に記載の表示装置。
【発明の詳細な説明】
【技術分野】
【０００１】
本発明は映像を表示する表示装置に関する。
【背景技術】
【０００２】
従来の液晶表示装置は、蛍光管から照射された光を拡散する光学シートを支持するシート支持部をバックライトシャーシに設け、該シート支持部に光学シートの厚さ以上の寸法のスペーサ部を設け、該スペーサ部により確保された空間に光学シートを配置し、該光学シートの正面側に、映像を表示する表示パネルを支持するパネル支持部を設け、該パネル支持部にて表示パネルを支持していた。
前記スペーサ部により、前記光学シートと、前記表示パネルとの間に両者の接触を回避するための間隙を確保し、前記光学シートに蛍光管の熱が伝導して、前記光学シートが膨張した場合でも、前記光学シートに皺が発生することを防ぎ、表示性能が低下することを回避していた。（特許文献１参照）。
【特許文献１】特開２００６−６６３５９号公報
【発明の開示】
【発明が解決しようとする課題】
【０００３】
しかし、前記光学シートと、前記表示パネルとが仮に接触したとしても、前記光学シートと、前記表示パネルとが前記光学シートの膨張を妨げる程度に密着していなければ、前記光学シートに蛍光管の熱が伝導しても光学シートに皺は発生しないため、前記スペーサ部により、光学シートと、前記表示パネルとの間に確保されている間隙は、前記光学シートと、前記表示パネルとの密着を回避するための間隙としては大き過ぎるという問題点があった。
【０００４】
本発明は斯かる事情に鑑みてなされたものであり、パネル支持部及びシート支持部の間に、光学シートの厚さよりも短い寸法のスペーサ部を設け、前記パネル支持部に表示パネル及び光学シートを離隔させる離隔部材を設けることにより、前記光学シートと、前記表示パネルとの間に互いの密着を回避するために必要な最小限の間隙を確保して、薄型化を図ることができる表示装置を提供することを目的とする。
【課題を解決するための手段】
【０００５】
本発明に係る表示装置は、光源から照射された光を拡散する光学シートを支持するシート支持部と、前記光学シートを透過した光により映像を表示する表示パネルを支持するパネル支持部と、該パネル支持部及びシート支持部の間に設けてあり、前記光学シートを収容する空間を確保するためのスペーサ部とを備える表示装置において、前記スペーサ部の寸法は、前記光学シートの厚さよりも短くしてあり、前記パネル支持部に、前記表示パネル及び光学シートを離隔させる離隔部材を設けてあることを特徴とする。
【０００６】
本発明においては、パネル支持部及びシート支持部の間に、光学シートの厚さよりも短い寸法のスペーサ部を設け、前記パネル支持部に表示パネル及び光学シートを離隔させる離隔部材を設け、前記光学シートと、前記表示パネルとの間に互いの密着を回避するために必要な最小限の間隙を確保し、光学シートが膨張したときには、光学シートの周囲にある空間へ向けて光学シートは伸長する。
【０００７】
本発明に係る表示装置は、前記離隔部材は弾性を備えることを特徴とする。
【０００８】
本発明においては、前記離隔部材を圧縮し、前記表示パネルと、前記光学シートとを近接させる。
【０００９】
本発明に係る表示装置は、前記パネル支持部に対向するベゼルを備え、該ベゼル及びパネル支持部の間で前記離隔部材を挟圧してあることを特徴とする。
【００１０】
本発明においては、前記ベゼル及びパネル支持部にて前記離隔部材を挟圧し、前記表示パネルと、前記光学シートとを近接させる。
【発明の効果】
【００１１】
本発明に係る表示装置にあっては、パネル支持部及びシート支持部の間に、光学シートの厚さよりも短い寸法のスペーサ部を設け、前記パネル支持部に表示パネル及び光学シートを離隔させる離隔部材を設け、前記光学シートと、前記表示パネルとの間に互いの密着を回避するために必要な最小限の間隙を確保し、光学シートが膨張したときには、光学シートの周囲にある空間へ向けて光学シートが伸長して、光学シートに皺を発生させることなく薄型化を図ることができる。
【００１２】
また弾性を備える離隔部材を設けることにより、前記離隔部材を圧縮し、前記光学シートと、前記表示パネルとを近接させて、薄型化を図ることができる。
【００１３】
また前記パネル支持部に対向するベゼルを設けることにより、ベゼル及びパネル支持部の間で前記離隔部材を挟圧し、前記表示パネルと、前記光学シートとを近接させて、薄型化を図ることができる。
【発明を実施するための最良の形態】
【００１４】
以下本発明を実施の形態に係る表示装置を示す図面に基づいて詳述する。図１は表示装置の略示斜視図、図２は図１におけるＩＩ−ＩＩ線での略示側面断面図、図３は図１におけるＩＩＩ−ＩＩＩ線での略示平面断面図、図４はシート支持フレーム及びパネル支持フレームの略示斜視図、図５はランプホルダの略示斜視図、図６は図１におけるＶＩ−ＶＩ線での略示側面断面図、図７は図１におけるＶＩＩ−ＶＩＩ線での略示側面断面図、図８は図１におけるＶＩＩＩ−ＶＩＩＩ線での略示側面断面図である。
【００１５】
図において１はリヤキャビネットであり、該リヤキャビネット１の正面側に、蛍光管９を収容する矩形箱状のバックライトシャーシ２が配置してある。図６に示す如く、前記リヤキャビネット１に、正面側に窪んでおり、貫通した円筒状のボス部１３が設けてあり、該ボス部１３に対応するねじ溝を備えるビス孔２３が前記バックライトシャーシ２に設けてある。前記ボス部１３にビスＳ１を挿入して、前記ビス孔２３に螺合し、前記バックライトシャーシ２と、前記リヤキャビネット１とを連結してある。
【００１６】
前記バックライトシャーシ２の正面上側部及び正面下側部に沿って、側断面形状がクランク状になっており、上下寸法に対して左右寸法の長い二つのシート支持フレーム３、３がそれぞれ設けてある。該シート支持フレーム３は光を拡散する拡散板８ａを正面にて支持している。前記拡散板８ａの正面中央部には集光機能を有するプリズムシート８ｂが設けてあり、該プリズムシート８ｂ上に光を拡散する四枚の拡散シート８ｃが重ねてある。また該拡散シート８ｃ上には輝度を向上させる多層型偏光ミラー膜８ｄが設けてある。なお前記拡散板８ａ、プリズムシート８ｂ、拡散シート８ｃ、及び多層型偏光ミラー膜８ｄにより、光学シート８が構成されている。
【００１７】
次に二つの前記シート支持フレーム３、３の正面に配置される二つのパネル支持フレーム３０、３０について説明する。
パネル支持フレーム３０は、拡散板８ａの厚さと略同寸の奥行寸法を有しており、奥行寸法に対して左右寸法の長い板状のスペーサ部３１を備えている。該スペーサ部３１は、前記拡散板８ａの縁との間に間隔を空けて、前記シート支持フレーム３の正面に略垂直に配置してある。前記スペーサ部３１の奥行寸法の略二倍の上下寸法を有しており、上下寸法に対して左右寸法が長い板状のパネル支持部３２が、前記スペーサ部３１に対して直角に前記スペーサ部３１の正面に設けてある。該パネル支持部３２の奥行寸法は、前記プリズムシート８ｂ、及び四枚の拡散シート８ｃの厚さの合計と略同寸である。
【００１８】
前記パネル支持部３２の正面に、弾性を有する横長板状の離隔部材４を設けてあり、該離隔部材４の奥行寸法は前記多層型偏光ミラー膜８ｄの厚さの略二倍になっている。前記離隔部材４の正面に映像を表示する矩形の表示パネル６を載置してあり、該表示パネル６の正面縁部分には矩形枠状の弾性部材５を介して矩形のベゼル７が設けてある。
【００１９】
図７に示すように、前記パネル支持部３２及びスペーサ部３１に連なり、表示装置を補強するブロック状の補強部３３が、前記ベゼル７の背面に設けてある。該補強部３３の正面には、背面側に窪んでおり、内側にねじ溝を備える有底円筒状のボス部３３ａが設けてある。該ボス部３３ａに対応するビス孔７ａが前記ベゼル７に開設してあり、該ビス孔７ａにビスＳ２を挿通して、前記ボス部３３ａの底面に当接するまで螺合し、前記離隔部材４及び弾性部材５を圧縮して、前記表示パネル６を、前記ベゼル７と、前記パネル支持部３ｂとの間で挟持し、前記ベゼル７、弾性部材５、表示パネル６、離隔部材４、及びパネル支持フレーム３０を一つのユニットにしてある。
【００２０】
また図８に示すように、前記補強部３３の前記ボス部３３ａから離隔した位置に、円筒状に貫通したボス部３３ｂが設けてあり、該ボス部３３ｂに対応する貫通孔７ｂが前記ベゼル７に設けてある。また前記ボス部３３ｂ及び貫通孔７ｂに対応しており、円筒状に貫通したねじ溝を備えるボス部２ｂが前記バックライトシャーシ２に設けてある。
【００２１】
次に、前記バックライトシャーシ２の正面左右側部にそれぞれ設けてあり、前記シート支持フレーム３、３と共に拡散板８ａを支持し、前記パネル支持フレーム３０、３０と共に表示パネル６を支持する二つのランプホルダ１０、１０について説明する。
【００２２】
該ランプホルダ１０は、前記バックライトシャーシ２の正面側部にて上下方向に並設してあり、前記蛍光管９を保持する複数のソケット部１０ｄ、１０ｄ、・・・・１０ｄを備えている。また前記ランプホルダ１０は、前記ソケット部１０ｄ、１０ｄ、・・・・１０ｄを覆っており、正面板部及び左右側面板部からなる縦長のシート支持部１０ａを備えており、該シート支持部１０ａの正面にて前記拡散板８ａを支持している。該シート支持部１０ａの正面は、前記シート支持フレーム３の正面と同一面内にある。
【００２３】
前記シート支持部１０ａの正面に対して垂直に、前記拡散板８ａの厚さと略同寸の奥行寸法を有しており、奥行寸法に対して上下寸法の長い板状のスペーサ部１０ｃが、前記拡散板８ａの縁との間に間隔を空けて設けてある。該スペーサ部１０ｃの奥行寸法よりもやや大きい左右寸法を有しており、前記シート支持部１０ａの正面に平行な縦長板状のパネル支持部１０ｂが、スペーサ部１０ｃの正面に設けてある。前記パネル支持部１０ｂの奥行寸法は、前記プリズムシート８ｂ、及び四枚の拡散シート８ｃの厚さの合計と略同寸である。また前記パネル支持部１０ｂの正面には弾性を有する縦長板状の離隔部材４０が設けてあり、該離隔部材４０の奥行寸法は前記多層型偏光ミラー膜８ｄの厚さの略二倍になっている。
【００２４】
前記ベゼル７、弾性部材５、表示パネル６、離隔部材４、及びパネル支持フレーム３０からなる前記ユニットを前記パネル支持フレーム３０及びランプホルダ１０の正面に配置して、前記表示パネル６の背面左右側部を前記離隔部材４０に当接させ、前記貫通孔７ｂ及びボス部３３ｂにビスＳ３を挿入して、前記ボス部２ｂにて螺合し、前記離隔部材４０を圧縮して、前記表示パネル６と、前記多層型偏光ミラー膜８ｄとの間に約０．２ｍｍ幅の間隙を形成してある。
【００２５】
前記リヤキャビネット１の上下側部には、図２に示す如く、二つの凹部１ａ、１ａがそれぞれ設けてあり、該凹部１ａ、１ａに対応する二つの爪部１１ａ、１１ａがフロントキャビネット１１に設けてある。該爪部１１ａ、１１ａを前記凹部１ａ、１ａに係合して、前記フロントキャビネット１１を前記リヤキャビネット１に取り付けてある。
【００２６】
なお表示パネル６と、多層型偏光ミラー膜８ｄとの間に形成される間隙幅は、表示装置の設計段階おいて以下に示す要領で決定される。表１は前記拡散板８ａ、プリズムシート８ｂ、拡散シート８ｃ及び多層型偏光ミラー膜８ｄの厚さの公差に関する表である。表１において各公差をａとして表記してある。
【００２７】
【表１】
2009175444.tif 000003
【００２８】
表１に示すように、各公差の自乗平均から導き出される最大公差は約０．１２ｍｍとなる。該最大公差を超える公差が発生する場合を考慮すれば、前記多層型偏光ミラー膜８ｄと、前記表示パネル６との間に形成される間隙幅は、約０．２ｍｍが適当である。
【００２９】
実施の形態に係る表示装置にあっては、シート支持フレーム３及びシート支持部１０ａの正面に、拡散板８ａと略同寸のスペーサ部３１及びスペーサ部１０ｃをそれぞれ設け、前記シート支持フレーム３及びシート支持部１０ａの正面に、離隔部材４及び離隔部材４０をそれぞれ設けることにより、前記多層型偏光ミラー膜８ｄと、前記表示パネル６との間に互いの密着を回避するために必要な最小限の間隙を確保して、前記光学シート８が膨張したときには、前記光学シート８は周囲の空間へ向けて伸長し、光学シート８に皺を発生させることなく薄型化を図ることができる。
【００３０】
また前記離隔部材４及び離隔部材４０を圧縮して、前記表示パネル６と、前記多層型偏光ミラー膜８ｄとを近接させて、薄型化を図ることができる。
【００３１】
なお前記拡散板８ａ、プリズムシート８ｂ、拡散シート８ｃ及び多層型偏光ミラー膜８ｄの厚さの公差によって、前記シート支持フレーム３、パネル支持フレーム３０及びランプホルダ１０の設計が変更されることは言うまでもない。また前記シート支持フレーム３及びパネル支持フレーム３０は一体成形されていても良い。
【図面の簡単な説明】
【００３２】
【図１】実施の形態に係る表示装置の略示斜視図である。
【図２】実施の形態に係る表示装置のＩＩ−ＩＩ線での略示側面断面図である。
【図３】実施の形態に係る表示装置のＩＩＩ−ＩＩＩ線での略示平面断面図である。
【図４】実施の形態に係る表示装置の支持フレームの略示斜視図である。
【図５】実施の形態に係る表示装置のランプホルダの略示斜視図である。
【図６】実施の形態に係る表示装置のＶＩ−ＶＩ線での略示側面断面図である。
【図７】実施の形態に係る表示装置のＶＩＩ−ＶＩＩ線での略示側面断面図である。
【図８】実施の形態に係る表示装置のＶＩＩＩ−ＶＩＩＩ線での略示側面断面図である。
【符号の説明】
【００３３】
１  リヤキャビネット
２  バックライトシャーシ
３  シート支持フレーム（シート支持部）
４、４０  離隔部材
５  弾性部材
６  表示パネル
７  ベゼル
８  光学シート
８ａ  拡散板
８ｂ  プリズムシート
８ｃ  拡散シート
８ｄ  多層型偏光ミラー膜
９  蛍光管
１０  ランプホルダ
１０ａ  シート支持部
１０ｂ  パネル支持部
１０ｃ  スペーサ部
１０ｄ  ソケット部
３０  パネル支持フレーム
３２  パネル支持部
【図１】
2009175444.tif 000004
【図２】
2009175444.tif 000005
【図３】
2009175444.tif 000006
【図４】
2009175444.tif 000007
【図５】
2009175444.tif 000008
【図６】
2009175444.tif 000009
【図７】
2009175444.tif 000010
【図８】
2009175444.tif 000011